(57)【特許請求の範囲】
【請求項１】
表示部と、
自装置周辺の通信機器との間で直接通信を行う第１の無線通信部と、
操作の入力を検出する操作部と、
前記操作部により省電力モードを解除する省電力モード解除操作の入力が検出された場合、前記第１の無線通信部により通信可能な通信機器を検出させる制御部と、
を備え、
前記制御部は、
予め設定した特定条件を満たし、かつ、予め設定された通信機器が前記第１の無線通信部により通信可能として検出された場合、当該予め設定された通信機器に応じた所定のアプリケーションを起動させ、
前記操作部により前記省電力モード解除操作の入力が検出された場合、前記省電力モードを解除して、前記表示部にロック状態を示すロック画面を表示し、
前記特定条件は、前記表示部が前記ロック画面を表示している状態で前記操作部により前記ロック状態を解除するロック解除操作の入力が検出されることであることを特徴とする携帯電子機器。
【請求項２】
基地局との通信を行う第２の無線通信部を更に備え、
前記第１の無線通信部は、前記第２の無線通信部よりも小出力であることを特徴とする請求項１に記載の携帯電子機器。
【請求項３】
前記制御部は、
前記予め設定された通信機器に応じた前記所定のアプリケーションを起動させて、当該アプリケーションに対応する操作画面を前記表示部に表示させることを特徴とする請求項１に記載の携帯電子機器。
【請求項４】
前記予め設定された通信機器は、ワイヤレスキーボードであり、
前記所定のアプリケーションは、テキストエディタであることを特徴とする請求項１から３のいずれか一項に記載の携帯電子機器。
【請求項５】
前記制御部は、前記テキストエディタを起動した場合、前記操作部により入力された文字列を当該テキストエディタの前記操作画面に含めて前記表示部に表示させることを特徴とする請求項３に記載の携帯電子機器。
【請求項６】
前記予め設定された通信機器は、ワイヤレスヘッドホンであり、
前記所定のアプリケーションは、音楽プレーヤであることを特徴とする請求項１から５のいずれか一項に記載の携帯電子機器。
【請求項７】
前記予め設定された通信機器は、無線通信可能なプリンタであり、
前記所定のアプリケーションは、当該プリンタに応じたファイルマネージャであることを特徴とする請求項１から６のいずれか一項に記載の携帯電子機器。
【請求項８】
前記アプリケーションを起動する優先順位を示す優先順位情報を記憶する記憶部、
を更に備え、
前記制御部は、複数の前記予め設定された通信機器との接続を検出した場合、前記記憶部に記憶された前記優先順位情報に基づいて、前記優先順位が高い前記予め設定された通信機器に対応する前記アプリケーションから優先して起動させることを特徴とする請求項１から７のいずれか一項に記載の携帯電子機器。
【請求項９】
前記第１の無線通信部は、Ｂｌｕｅｔｏｏｔｈ（登録商標）方式を用いた通信を行うことを特徴とする請求項１から８のいずれか一項に記載の携帯電子機器。
【請求項１０】
表示部と、自装置周辺の通信機器との間で直接通信を行う第１の無線通信部と、操作の入力を検出する操作部と、を備える携帯電子機器の制御方法であって、
前記操作部により省電力モードを解除する省電力モード解除操作の入力が検出されたか否かを判定する判定ステップと、
前記判定ステップで前記省電力モード解除操作の入力が検出されたと判定した場合、前記省電力モードを解除して、前記第１の無線通信部により通信可能な通信機器を検出する接続検出ステップと、
予め設定した特定条件を満たし、かつ、前記接続検出ステップで予め設定された通信機器が前記第１の無線通信部により通信可能として検出された場合、当該予め設定された通信機器に応じた所定のアプリケーションを起動させる起動ステップと、
前記操作部により前記省電力モード解除操作の入力が検出された場合、前記省電力モードを解除して、前記表示部にロック状態を示すロック画面を表示するステップと、
を含み、
前記特定条件は、前記表示部が前記ロック画面を表示している状態で前記操作部により前記ロック状態を解除するロック解除操作の入力が検出されることであることを特徴とする制御方法。
【請求項１１】
表示部と、自装置周辺の通信機器との間で直接通信を行う第１の無線通信部と、操作の入力を検出する操作部と、を備える携帯電子機器に、
前記操作部により省電力モードを解除する省電力モード解除操作の入力が検出されたか否かを判定する判定ステップと、
前記判定ステップで前記省電力モード解除操作の入力が検出されたと判定した場合、前記省電力モードを解除して、前記第１の無線通信部により通信可能な通信機器を検出する接続検出ステップと、
予め設定した特定条件を満たし、かつ、前記接続検出ステップで予め設定された通信機器が前記第１の無線通信部により通信可能として検出された場合、当該予め設定された通信機器に応じた所定のアプリケーションを起動させる起動ステップと、
前記操作部により前記省電力モード解除操作の入力が検出された場合、前記省電力モードを解除して、前記表示部にロック状態を示すロック画面を表示するステップと、
を実行させ、
前記特定条件は、前記表示部が前記ロック画面を表示している状態で前記操作部により前記ロック状態を解除するロック解除操作の入力が検出されることであることを特徴とする制御プログラム。
【発明の詳細な説明】
【技術分野】
【０００１】
本発明は、携帯電子機器、制御方法、および、制御プログラムに関する。
【背景技術】
【０００２】
近年、スマートフォン等のタッチパネル端末が一般化している（特許文献１参照）。また、Ｂｌｕｅｔｏｏｔｈ（登録商標）通信等の近距離無線通信を行うことで端末と連動可能な外部キーボード等の通信機器が存在する（特許文献２参照）。ここで、近距離無線通信は電流消費するため、常時オンなどの設定を行っている場合は電池から得られる電力の減りが早くなってしまう。そこで、タッチパネル端末では、タッチパネルを常時動作させることが好ましくないため、省電力モードを備えている。また、誤操作または他人による不正利用を防止することを目的に、画面ロックする機能も存在する（特許文献３参照）。また、待受画面から直接文字入力を行い、その後連携機能を選択することができる機能も存在する（特許文献４参照）。
【先行技術文献】
【特許文献】
【０００３】
【特許文献１】特開２０１０−３９７７２号公報
【特許文献２】特開２００８−２０５７８０号公報
【特許文献３】特開２０１１−４８２０４号公報
【特許文献４】特開２００７−２００２４３号公報
【発明の概要】
【発明が解決しようとする課題】
【０００４】
しかしながら、従来技術では、近距離無線通信を行う無線通信部を備えていても、省電力化解除後に改めてペアリング指示をタッチパネルにて行い、その上で使用するアプリケーションをタッチパネルで選択する必要があったため、操作に手間がかかっていた。
【０００５】
例えば、Ｂｌｕｅｔｏｏｔｈ（登録商標）機器等の通信機器を利用するためには、端末側でロック画面のロック状態を解除して、メニューなどから近距離無線通信機能をオンにし、通信機器の認証を行い、接続を確立する手順が必要となっていた。このとき、ロック状態を解除するためには、省電力モードを解除してディスプレイ照明をオンにし、タッチパネル上でロック解除操作を行う必要がある。また、常時、近距無線通信機能をオンにしていない場合は、外部機器において検出情報を表示している時に、近距離無線通信機能搭載端末であっても表示されず、外部機器から接続先の通信機器として選択ができなくなっていた。
【０００６】
本発明は、上記に鑑みてなされたものであって、自装置周辺の通信機器との間で近距離無線通信による接続を早期に行え、アプリケーションの起動も容易に行うことができる携帯電子機器、制御方法、および、制御プログラムを提供することを目的とする。
【課題を解決するための手段】
【０００７】
上述した課題を解決し、目的を達成するために、本発明に係る携帯電子機器は、表示部と、自装置周辺の通信機器との間で直接通信を行う第１の無線通信部と、操作の入力を検出する操作部と、前記操作部により省電力モードを解除する省電力モード解除操作の入力が検出された場合、前記第１の無線通信部により通信可能な通信機器を検出させる制御部と、を備え、前記制御部は、予め設定した特定条件を満たし、かつ、予め設定された通信機器が前記第１の無線通信部により通信可能として検出された場合、前記省電力モードを解除して、当該予め設定された通信機器に応じた所定のアプリケーションを起動させることを特徴とすることを特徴とする。
【０００８】
ここで、上記記載の携帯電子機器において、基地局との通信を行う第２の無線通信部を更に備え、前記第１の無線通信部は、前記第２の無線通信部よりも小出力であることが好ましい。
【０００９】
また、上記記載の携帯電子機器において、前記制御部は、前記予め設定された通信機器に応じた前記所定のアプリケーションを起動させて、当該アプリケーションに対応する操作画面を前記表示部に表示させることが好ましい。
【００１０】
また、上記記載の携帯電子機器において、前記制御部は、前記操作部により前記省電力モード解除操作の入力が検出された場合、前記省電力モードを解除して、前記表示部にロック状態を示すロック画面を表示し、前記特定条件は、前記表示部にロック状態を示すロック画面を表示している状態であることが好ましい。
【００１１】
また、上記記載の携帯電子機器において、前記制御部は、前記操作部により前記省電力モード解除操作の入力が検出された場合、前記省電力モードを解除して、前記表示部にロック状態を示すロック画面を表示し、前記特定条件は、前記表示部が前記ロック画面を表示している状態で前記通信機器からの入力信号を受信することであることが好ましい。
【００１２】
また、上記記載の携帯電子機器において、前記制御部は、前記操作部により前記省電力モード解除操作の入力が検出された場合、前記省電力モードを解除して、前記表示部にロック状態を示すロック画面を表示し、前記特定条件は、前記表示部が前記ロック画面を表示している状態で前記操作部により前記ロック状態を解除するロック解除操作の入力が検出されることであることが好ましい。
【００１３】
また、上記記載の携帯電子機器において、前記予め設定された通信機器は、ワイヤレスキーボードであり、前記所定のアプリケーションは、テキストエディタであることが好ましい。
【００１４】
また、上記記載の携帯電子機器において、前記制御部は、前記テキストエディタを起動した場合、前記操作部により入力された文字列を当該テキストエディタの前記操作画面に含めて前記表示部に表示させることが好ましい。
【００１５】
また、上記記載の携帯電子機器において、前記予め設定された通信機器は、ワイヤレスヘッドホンであり、前記所定のアプリケーションは、音楽プレーヤであることが好ましい。
【００１６】
また、上記記載の携帯電子機器において、前記予め設定された通信機器は、無線通信可能なプリンタであり、前記所定のアプリケーションは、当該プリンタに応じたファイルマネージャであることが好ましい。
【００１７】
また、上記記載の携帯電子機器において、前記アプリケーションを起動する優先順位を示す優先順位情報を記憶する記憶部、を更に備え、前記制御部は、複数の前記予め設定された通信機器との接続を検出した場合、前記記憶部に記憶された前記優先順位情報に基づいて、前記優先順位が高い前記予め設定された通信機器に対応する前記アプリケーションから優先して起動させることが好ましい。
【００１８】
また、上記記載の携帯電子機器において、前記第１の無線通信部は、Ｂｌｕｅｔｏｏｔｈ方式を用いた通信を行うことが好ましい。
【００１９】
本発明に係る制御方法は、表示部と、自装置周辺の通信機器との間で直接通信を行う第１の無線通信部と、操作の入力を検出する操作部と、を備える携帯電子機器の制御方法であって、前記操作部により省電力モードを解除する省電力モード解除操作の入力が検出されたか否かを判定する判定ステップと、前記判定ステップで前記省電力モード解除操作の入力が検出されたと判定した場合、前記省電力モードを解除して、前記第１の無線通信部により通信可能な通信機器を検出する接続検出ステップと、予め設定した特定条件を満たし、かつ、前記接続検出ステップで予め設定された通信機器が前記第１の無線通信部により通信可能として検出された場合、当該予め設定された通信機器に応じた所定のアプリケーションを起動させる起動ステップと、を含むことを特徴とする。
【００２０】
本発明に係る制御プログラムは、表示部と、自装置周辺の通信機器との間で直接通信を行う第１の無線通信部と、操作の入力を検出する操作部と、を備える携帯電子機器の制御方法であって、前記操作部により省電力モードを解除する省電力モード解除操作の入力が検出されたか否かを判定する判定ステップと、前記判定ステップで前記省電力モード解除操作の入力が検出されたと判定した場合、前記省電力モードを解除して、前記第１の無線通信部により通信可能な通信機器を検出する接続検出ステップと、予め設定した特定条件を満たし、かつ、前記接続検出ステップで予め設定された通信機器が前記第１の無線通信部により通信可能として検出された場合、当該予め設定された通信機器に応じた所定のアプリケーションを起動させる起動ステップと、を実行させることを特徴とする。
【発明の効果】
【００２１】
この発明によれば、自装置周辺の通信機器との間で近距離無線通信による接続を早期に行え、アプリケーションの起動も容易に行うことができるという効果を奏する。
【図面の簡単な説明】
【００２２】
【図１】図１は、本発明の携帯電話端末と、当該携帯電話端末と無線通信可能な通信機器の概略構成を示す説明図である。
【図２】図２は、本発明の携帯電子機器の一実施形態である携帯電話端末の外観を示す正面図である。
【図３】図３は、図２に示す携帯電話端末の機能の概略構成を示すブロック図である。
【図４】図４は、図２に示す携帯電話端末の処理の一例を示すフローチャートである。
【図５】図５は、省電力画面からロック画面を移行させる携帯電話端末の処理動作を説明するための図である。
【図６】図６は、ロック画面からテキストエディタの操作画面へ移行させる携帯電話端末の処理動作を説明するための図である。
【図７】図７は、ロック画面から音楽プレーヤの操作画面へ移行した後、省電力画面に戻るまでの携帯電話端末の処理動作を説明するための図である。
【図８】図８は、ロック画面からファイルマネージャの操作画面へ移行した後、省電力画面に戻るまでの携帯電話端末の処理動作を説明するための図である。
【図９】図９は、図２に示す携帯電話端末の処理の別の一例を示すフローチャートである。
【図１０】図１０は、図２に示す携帯電話端末の処理の更に別の一例を示すフローチャートである。
【発明を実施するための形態】
【００２３】
以下、本発明につき図面を参照しつつ詳細に説明する。また、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話端末について説明するが、本発明の適用対象は携帯電話端末に限定されるものではなく、各種携帯電子機器、例えば、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ゲーム機等に対しても本発明は適用できる。また、以下においては、通信機器の一例として、ワイヤレスキーボード、ワイヤレスヘッドホン、無線通信可能なプリンタを一例として説明するが、本発明の適用対象はワイヤレスキーボード、ワイヤレスヘッドホン、無線通信可能なプリンタに限定されるものではなく、近距離無線通信機能を備える種々の通信機器に用いることができる。例えば、通信機器としては、パーソナルコンピュータ、ワイヤレスマウス、音声入力により操作可能なカーナビゲーション装置等の近距離無線通信機能を備える通信機器であってもよい。
【００２４】
図１は、本発明の携帯電話端末と、当該携帯電話端末１０と無線通信可能な通信機器の概略構成を示す説明図である。図１に示すように、携帯電話端末１０は、プリンタ６と、ワイヤレスヘッドホン８と、ワイヤレスキーボード９と無線通信可能に接続されている。
【００２５】
プリンタ６は、近距離無線通信機能を備える、出力機器である。また、ワイヤレスヘッドホン８は、近距離無線通信機能を備える出力機器である。ワイヤレスヘッドホン８は、携帯電話端末１０と近距離無線通信を行い、通信を行っている携帯電話端末１０から近距離無線通信で受信したデータを音声として出力することで、通信している携帯電話端末１０の出力機器となる。ワイヤレスキーボード９は、近距離無線通信機能を備える入力機器である。ワイヤレスキーボード９は、携帯電話端末１０と近距離無線通信を行い、入力された操作の情報を送信することで、通信している携帯電話端末１０の入力機器となる。
【００２６】
携帯電話端末１０は、近距離無線通信機能を有する携帯型情報端末である。また、携帯電話端末１０は、公衆通信網を介しての通信を実行でき、音声信号等の信号を公衆通信網に送信し、公衆通信網から音声信号等の信号を受信する。また、携帯電話端末１０には、電話番号、固有番号が割り当てられ、記憶されている。携帯電話端末１０の構成については、後ほど説明する。
【００２７】
このように、本実施形態において、携帯電話端末１０は、当該携帯電話端末１０と近距離無線通信が可能な各種通信機器と通信可能に接続されている。携帯電話端末１０は、近距離無線通信機能により、プリンタ６と、ワイヤレスヘッドホン８と、ワイヤレスキーボード９のそれぞれと、情報の送受信を行うことができる。つまり、本実施形態において、携帯電話端末１０と、各種通信機器（例えば、プリンタ６，ワイヤレスヘッドホン８，ワイヤレスキーボード９）とは、互いに近距離無線通信をできる領域内にある。本実施形態において、携帯電話端末１０以外の通信機器の数は特に限定されない。また、通信機器の種類もプリンタ、ワイヤレスヘッドホン、ワイヤレスキーボードには限定されない。
【００２８】
次に、図２を参照して、携帯電話端末１０について説明する。図２は、本発明の携帯電子機器の一実施形態である携帯電話端末１０の外観を示す正面図である。携帯電話端末１０は、筐体１１を有する。携帯電話端末１０は、筐体１１の表面に、タッチパネル１２と、ボタン３０、ボタン３２および入力デバイス３４からなる入力部１３と、レシーバ１７と、マイク１８と、が配置されている。
【００２９】
タッチパネル１２は、文字、図形、画像等を表示するとともに、指、スタイラス、ペン等（以下、単に「指」という）を用いてタッチパネル１２に対して行われる各種動作を検出する。例えば、携帯電話端末１０は、利用者から文字の入力を受け付けるために、タッチパネル１２上に仮想キーボードを表示させる。携帯電話端末１０は、タッチパネル１２上に仮想キーボードを表示させた状態で、指によってタッチパネル１２に入力される各種動作を検出し、仮想キーボードのどのキーが接触されたかを検出し、接触を検出したキーを入力したキーとすることで、文字入力を行うことができる。また、タッチパネル１２は、文字の入力によらず、表示させている画像と、指によってタッチパネル１２に対して行われる各種動作とに基づいて、各種操作の入力を検出し、入力された操作に基づいて各種制御を行う。
【００３０】
入力部１３は、ボタン３０、３２が押下された場合に、押下されたボタンに対応する機能を起動させる。また、入力部１３は、入力デバイス３４に入力された動作も操作として検出し、入力された操作に基づいて各種制御を行う。例えば、入力デバイス３４は、方向指示操作または決定操作を検出する。入力デバイス３４は、タッチパッド、光学式入力デバイス、四方および中央にボタンを備える入力デバイス等で構成される。
【００３１】
次に、携帯電話端末１０の機能と制御部２０との関係を説明する。図３は、図２に示す携帯電話端末１０の機能の概略構成を示すブロック図である。図３に示すように携帯電話端末１０は、タッチパネル１２と、入力部１３と、電源部１５と、通信部１６と、レシーバ１７と、マイク１８と、記憶部１９と、制御部２０と、無線通信部２４と、を有する。
【００３２】
無線通信部２４は、携帯電話端末１０周辺の通信機器との間で直接通信を行う第１の無線通信部２４Ａと、基地局との通信を行う第２の無線通信部２４Ｂと、を有する。ここで、第１の無線通信部２４Ａは、第２の無線通信部２４Ｂよりも小出力である。つまり、本実施形態において、第１の無線通信部２４Ａは、近距離無線通信技術を用いて、近距離通信可能な他の通信機器と通信を行う近距離無線通信部として機能する。ここで、近距離無線通信技術としては、赤外線通信（ＩｒＤＡ（登録商標）、ＩｒＭＣ（登録商標）、ＩｒＳｉｍｐｌｅ（登録商標））、可視光通信、Ｂｌｕｅｔｏｏｔｈ（登録商標）、磁界通信（ＲＦＩＤ、Ｒａｄｉｏ  Ｆｒｅｑｕｅｎｃｙ  Ｉｄｅｎｔｉｆｉｃａｔｉｏｎ）技術、および、ＩＥＥＥ８０２．１１ａ，ｇ，ｎ等の無線ＬＡＮなどを用いることができる。
【００３３】
タッチパネル１２は、表示部（表示手段）１２Ｂと、表示部１２Ｂに重畳されたタッチセンサ（操作部）１２Ａと、を有する。タッチセンサ１２Ａは、指によってタッチパネル１２に対して行われた各種動作を、動作が行われた位置とともに検出する。タッチセンサ１２Ａによって検出される動作には、指をタップする動作、スワイプする動作、指をリリースする動作などが含まれる。また、タッチセンサ１２Ａは、感圧式、静電容量式等のいずれの検出方式を採用してもよい。表示部１２Ｂは、例えば、液晶ディスプレイ（ＬＣＤ、Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）パネル等で構成され、文字、図形、画像等を表示する。
【００３４】
入力部（操作部）１３は、上述したようにボタン３０、３２と、入力デバイス３４とを有する。ボタン３０、３２は、物理的な入力（押下）を通じて利用者の操作を受け付け、受け付けた操作に対応する信号を制御部２０へ送信する。入力デバイス３４は、利用者により受け付けた操作に対応する信号を制御部２０へ送信する。
【００３５】
電源部１５は、蓄電池または外部電源から得られる電力を、制御部２０を含む携帯電話端末１０の各機能部へ供給する。通信部１６は、基地局によって割り当てられるチャネルを介し、基地局との間でＣＤＭＡ方式等による無線信号回線を確立し、基地局との間で電話通信および情報通信を行う。レシーバ１７は、電話通信における相手側の音声または着信音等を出力する。マイク１８は、利用者等の音声を入力する。
【００３６】
記憶部１９は、例えば、メモリまたは磁気記憶装置であり、制御部２０での処理に利用されるプログラムおよびデータを保存する。記憶部１９は、制御部２０の処理結果を一時的に記憶する作業領域としても利用される。記憶部１９は、半導体記憶デバイス、及び磁気記憶デバイス等の任意の記憶デバイスを含んでよい。記憶部１９は、複数の種類の記憶デバイスを含んでよい。また、記憶部１９は、メモリカード等の可搬の記憶媒体と、記憶媒体の読み取り装置との組み合わせを含んでよい。
【００３７】
記憶部１９は、第１の無線通信部２４Ａを用いて他の通信機器と情報の送受信を行うための近距離無線通信プログラム１９Ａと、文字編集機能を有するテキストエディタを起動して実行するためのテキストエディタプログラム１９Ｂと、音声再生機能を有する音楽プレーヤを起動して実行するための音楽プレーヤプログラム１９Ｃと、ファイル管理機能を有するファイルマネージャを起動して実行するためのファイルマネージャプログラム１９Ｄと、テキストエディタ、音楽プレーヤ、ファイルマネージャ等の所定のアプリケーションを起動する優先順位を示す優先順位情報を記憶する優先順位情報ファイル１９Ｅ、を記憶する。また、本実施形態の記憶部１９は、第１の無線通信部２４Ａが通信可能な通信機器と当該通信機器が実行可能な機能に関連するアプリケーションとを対応付けたリストを記憶している。例えば、当該リストにおいて、ワイヤレスキーボード９は、文字編集機能を有するため、テキストエディタ（文字編集アプリケーション）と対応付けられている。また、ワイヤレスヘッドホン８は、音声再生機能を有するため音楽プレーヤ（音楽プレーヤアプリケーション）と対応付けられている。また、プリンタ６は、画像およびテキスト等のファイルを印刷する機能を備えているためファイルマネージャ（ファイル管理機能アプリケーション）と対応付けられている。所定のアプリケーションは、テキストエディタ、音楽プレーヤ、ファイルマネージャに限定されず、その他のアプリケーションプログラムであってもよい。また、記憶部１９には、携帯電話端末１０の基本的な機能を実現するオペレーティングシステムプログラム、あるいは、氏名、電話番号、メールアドレス等が登録されたアドレス帳データ等の他のプログラムまたはデータも記憶される。また、記憶部１９には、タッチパネル１２に入力された入力操作に基づいて制御を決定するプログラム等も記憶される。ここで、制御とは、携帯電話端末１０で実行する各種動作、処理が含まれ、例えば、カーソル、ポインタの移動、画面の表示切換、文字入力処理、各種アプリケーションの起動処理、終了処理がある。
【００３８】
制御部２０は、例えば、ＣＰＵ（Ｃｅｎｔｒａｌ  Ｐｒｏｃｅｓｓｉｎｇ  Ｕｎｉｔ）であり、携帯電話端末１０の動作を統括的に制御する。具体的には、制御部２０は、記憶部１９に記憶されているデータを必要に応じて参照しつつ、記憶部１９に記憶されているプログラムを実行して、タッチパネル１２、入力部１３、通信部１６、無線通信部２４等を制御することによって各種処理を実行する。制御部２０は、記憶部１９に記憶されているプログラムまたは処理を実行することによって取得／生成／加工されたデータを、一時的な記憶領域を提供する記憶部１９に必要に応じて展開する。ここで、制御部２０が実行するプログラムおよび参照するデータは、通信部１６による無線通信でサーバ装置からダウンロードすることとしてもよい。
【００３９】
次に、図４から図１０を参照して上述の携帯電話端末１０の制御部２０が実行する制御の例について説明する。
【００４０】
以下の処理では、携帯電話端末１０の制御部２０は、操作部により省電力モードを解除する省電力モード解除操作の入力が検出された場合、省電力モードを解除する。制御部２０は、第１の無線通信部２４Ａに所定の通信機器（例えば、ワイヤレスキーボード９、ワイヤレスヘッドホン８、プリンタ６等）との接続を検出させる。制御部２０は、通信機器との接続を検出した場合、当該通信機器に応じた所定のアプリケーション（例えば、テキストエディタ、音楽プレーヤ、ファイルマネージャ等）を起動させる。制御部２０は、当該アプリケーションに対応する操作画面を表示部１２Ｂに表示させる。
【００４１】
まず、図４のフローチャートに沿って、適宜図５〜図８を参照して、本実施形態にかかる携帯電話端末１０の処理について説明する。図４は、図２に示す携帯電話端末１の処理の一例を示すフローチャートである。ここで、図４に示す処理手順は、記憶部１９に記憶された近距離無線通信プログラム１９Ａ等のプログラムが提供する機能に基づいて繰り返し実行される。
【００４２】
図４に示すように、携帯電話端末１０の制御部２０は、予め利用者によりロック状態に設定され、かつ、省電力モード（表示部１２Ｂを消灯するモード）に移行されている状態から、省電力モード解除操作の入力が検出されたか否かを判定する（ステップＳＡ−１）。本実施形態において、省電力モード解除操作とは、入力部１３（ボタン３０等）により検出されるクリック操作としている。つまり、本実施形態では、利用者がクリック操作を行うことで省電力モードが解除される。
【００４３】
制御部２０は、ステップＳＡ−１で操作部により省電力モード解除操作の入力が検出されたと判定した場合（ステップＳＡ−１：Ｙｅｓ）、省電力モードを解除して、ロック画面を表示させるよう表示部１２Ｂを制御する（ステップＳＡ−２）。制御部２０は、ステップＳＡ−２において省電力モードを解除することで、タッチパネル２への接触を検出可能な状態とする。
【００４４】
一方、制御部２０は、ステップＳＡ−１で操作部により省電力モード解除操作の入力が検出されなかったと判定した場合（ステップＳＡ−１：Ｎｏ）、ステップＳＡ−１に戻り、省電力モード解除操作の入力が検出されたと判定されるまで処理を繰り返す。つまり、携帯電話端末１０は、省電力が解除されるまで省電力モードを維持する。
【００４５】
ここで、図５を参照して、上記ステップＳＡ−１：Ｙｅｓと上記ステップＳＡ−２に対応する携帯電話端末１０の制御部２０の処理動作について説明する。図５は、省電力画面からロック画面を移行させる携帯電話端末１の処理動作を説明するための図である。
【００４６】
図５に示すように、制御部２０は、省電力モード解除操作の入力を検出するまでは省電力モードに設定されているため、表示部１２Ｂの照明をオフした状態の省電力画面６０に設定している（図５の左図）。制御部２０は、利用者が携帯電話端末１０の入力部１３（ボタン３０等）に対して省電力モード解除操作（クリック操作等）を行った場合、省電力モードを解除して、省電力画面６０からロック画面７０に切り替える（図５の右図）。ここで、制御部２０は、利用者が入力部１３に対するクリック操作等を行ったタイミングで、Ｂｌｕｅｔｏｏｔｈ（登録商標）等の近距離無線通信機能をオン状態にして、周辺にある通信可能な通信機器の検出を開始してもよい。ここで、図５に示すロック画面７０は、時刻を示す状態表示領域７２と、ロック解除操作の対象となるロックオブジェクト７４とを含む。ロックオブジェクト７４は、利用者がロック解除操作（左から右方向へフリック操作等）を行う対象となるオブジェクトである。
【００４７】
本実施形態において、ロック画面とは、所定の操作を検出しない限り、待受画面に移行しない画面である。つまり、ロック画面は、所定の操作が入力されるまで、携帯電話端末１０の種々の機能を操作できないロック状態にある場合に表示する画面である。また、待受画面とは、電話の発着信を待ち受けている状態の画面、またはアプリケーションプログラムの起動を待ち受けている状態の画面（所謂、ホーム画面）である。換言すると、待受画面は、制御部２０が表示部１２Ｂに表示させる複数のアプリケーションの操作画面へ画面が変わる前の画面である。操作画面は、携帯電話端末１０が有するアプリケーションの機能を利用者に提供するための画面である。携帯電話端末１０が有するアプリケーションの機能は、例えば、他の携帯電話端末との通話機能、メール送受信機能、携帯電話端末１０が備えるカメラによる撮像機能、文字編集機能、音声再生機能、および、ファイル管理機能などである。例えば、利用者は、予め好みの画像または時計等の状態表示を背景画面として設定している。ここで、背景画面は、壁紙（Ｗａｌｌ  Ｐａｐｅｒ）とも呼ばれる。
【００４８】
図４に戻り制御部２０の処理の説明を続ける。制御部２０は、ステップＳＡ−２でロック画面（上述の図５のロック画面７０）を表示した後、第１の無線通信部２４Ａが通信機器と接続した状態であるかを判定する（ステップＳＡ−３）。すなわち、ステップＳＡ−３において、制御部２０は、第１の無線通信部２４Ａを制御して周辺にある通信可能な通信機器とペアリング処理を実行し、当該通信機器と接続した状態であるかを判定する。ここで、制御部２０は、本ペアリング処理を実行する前に第１の無線通信部２４Ａを介して、携帯電話端末１０と接続されたことがある通信機器とペアリング処理を実行する。つまり、ステップＳＡ−３において、携帯電話端末１０は、周辺にあり近距離無線通信機能で通信が可能な通信機器とランダムにペアリングを実行するのではなく、周辺にあり近距離無線通信機能で通信が可能な通信機器の中に事前に当該携帯電話端末１０と接続されたことがある通信機器がある場合、当該事前に当該携帯電話端末１０と接続されたことがある通信機器（予め設定された通信機器）とペアリング処理を行い、接続した状態とする。これにより、制御部２０は、携帯電話端末１０の周辺に通信機器が多数存在する場合に、利用者が意図しない通信機器との接続を除外することができる。ここで、制御部２０は、ステップＳＡ−３で、接続可能な通信機器があるかを判定するのみで、ペアリング処理（対象の通信機器との通信を確立する処理）は別途実行してもよい。
【００４９】
制御部２０は、ステップＳＡ−３で通信機器と接続した状態であると判定した場合（ステップＳＡ−３：Ｙｅｓ）、ロック状態を解除して（ステップＳＡ−４）、当該通信機器に応じたアプリケーションを起動させる（ステップＳＡ−５）。つまり、制御部２０は、ロック画面を表示している状態で通信機器との接続を検出した場合は、ロック状態を自動解除して、即アプリケーションを起動する。ここで、本実施形態におけるロック状態とは、誤操作防止用のロック状態としている。
【００５０】
制御部２０は、ステップＳＡ−５でアプリケーションを起動して実行した後、所定の操作の入力に基づいてアプリケーションの処理が完了したか否かを判定する（ステップＳＡ−６）。
【００５１】
制御部２０は、ステップＳＡ−６でアプリケーションの処理が完了したと判定した場合（ステップＳＡ−６：Ｙｅｓ）、省電力モードへ移行して（ステップＳＡ−７）、処理を終了する。一方、制御部２０は、ステップＳＡ−６でアプリケーションの処理が完了していないと判定した場合は（ステップＳＡ−６：Ｎｏ）、上記ステップＳＡ−６の処理を繰り返す。
【００５２】
また、制御部２０は、ステップＳＡ−３で通信機器との接続を検出しなかった場合（ステップＳＡ−３：Ｎｏ）、表示部１２Ｂがロック画面を表示している状態で操作部によりロック状態を解除するロック解除操作の入力が検出されたか否かを判定する（ステップＳＡ−８）。
【００５３】
制御部２０は、ステップＳＡ−８で操作部によりロック解除操作の入力が検出されたと判定した場合（ステップＳＡ−８：Ｙｅｓ）、ロック状態を解除する（ステップＳＡ−９）。ここで、制御部２０は、表示部１２Ｂに表示されたロック画面から、例えばホーム画面または省電力モード前に起動されていた画面へと表示を切り替える。一方、制御部２０は、ステップＳＡ−８で操作部によりロック解除操作の入力が検出されなかったと判定した場合（ステップＳＡ−８：Ｎｏ）、ステップＳＡ−３の処理へ戻る。
【００５４】
制御部２０は、ステップＳＡ−９でロック状態を解除した後、各種処理を実行する。具体的には、制御部２０は、タッチセンサ１２Ａまたは入力部１３で検出した操作に対応する処理（例えばホーム画面に表示したオブジェクトに対応するアプリケーションの起動、通話、メール送受信、撮像等）を実行する（ステップＳＡ−１０）。
【００５５】
制御部２０は、ステップＳＡ−１０で各種処理を実行した後、操作部によりロック設定操作の入力が検出されたか否かを判定する（ステップＳＡ−１１）。本実施形態において、ロック設定操作とは、入力部１３（ボタン３２等）により検出されるクリック操作としている。この他、制御部２０は、操作部（タッチセンサ１２Ａおよび入力部１３）が操作入力を検出していない状態が所定時間、つまり最後の操作を検出してからの経過時間が閾値以上であると判定した場合、ロック状態になるように設定してもよい。ここで、制御部２０は、ステップＳＡ−１１の処理を一定時間毎に実行してもよい。
【００５６】
制御部２０は、ステップＳＡ−１１で操作部によりロック設定操作の入力が検出されたと判定した場合（ステップＳＡ−１１：Ｙｅｓ）、携帯電話端末１０をロック状態に設定する（ステップＳＡ−１２）。その後、ステップＳＡ−７の処理へ進む。つまり、制御部２０は、入力部１３がロック設定操作を検出すると、ロック状態に設定した後、画面の表示を停止し、省電力モードに移行する。
【００５７】
一方、制御部２０は、ステップＳＡ−１１で操作部によりロック設定操作の入力が検出されなかったと判定した場合（ステップＳＡ−１１：Ｎｏ）、ステップＳＡ−１０に進み、ステップＳＡ−１１においてロック設定操作の入力が検出されたと判定されるまで処理を繰り返す。つまり、利用者は、ロック設定操作を行うまで、例えば携帯電話端末１０が有する各種機能（通話機能、メール送受信機能、撮像機能等）を利用する。
【００５８】
次に、図６〜図８を参照して、上記ステップＳＡ−３および上記ステップＳＡ−５に対応する携帯電話端末１０の制御部２０の処理動作について説明する。以下、図６から順に各通信機器（ワイヤレスキーボード９、ワイヤレスヘッドホン８、プリンタ６）に応じた各アプリケーション（テキストエディタ、音楽プレーヤ、ファイルマネージャ）を起動する処理を説明する。
【００５９】
まず、図６を参照して、制御部２０が、上記ステップＳＡ−３で通信機器としてワイヤレスキーボード９との接続を検出し、上記ステップＳＡ−５で、ワイヤレスキーボード９に応じたアプリケーションとしてテキストエディタを起動する例について説明する。図６は、ロック画面からテキストエディタの操作画面へ移行させる携帯電話端末１０の処理動作を説明するための図である。
【００６０】
図６に示すように、制御部２０は、表示部１２Ｂがロック画面７０を表示している状態で（図６の左図）、ワイヤレスキーボード９との接続を検出した場合、ロック状態を解除して、当該ワイヤレスキーボード９に応じたテキストエディタを起動させる（図６の右図）。ここで、図６の操作画面８０は、テキストエディタを起動した際に表示される操作画面である。操作画面８０は、ワイヤレスキーボード９等により入力される文字列（図６において、「明日の待ち合わせは、」）を表示する入力文字表示領域８２を含む。つまり、制御部２０は、テキストエディタを起動した場合、操作部により入力された文字列を当該テキストエディタの操作画面８０に含めて表示部１２Ｂに表示させる。また、図６の操作画面８０は、入力文字表示領域８２に表示された文字列を用いて連携可能なアプリケーションのショートカット（図６において、メモボタン８４、メールボタン８６、検索ボタン８８）と含む。ここで、メモボタン８４は、メモ帳アプリケーションを起動するショートカットである。メールボタン８６は、メールアプリケーションを起動するショートカットである。検索ボタン８８は検索エンジンを表示するブラウザアプリケーションを起動するショートカットである。つまり、利用者は、テキストエディタの操作画面８０から、入力文字表示領域８２に表示された文字列を用いて連携可能なアプリケーションを更に起動することができる。
【００６１】
次に、図７を参照して、制御部２０が、上記ステップＳＡ−３で通信機器としてワイヤレスヘッドホン８との接続を検出し、上記ステップＳＡ−５で、ワイヤレスヘッドホン８に応じたアプリケーションとして音楽プレーヤを起動する例について説明する。図７は、ロック画面から音楽プレーヤの操作画面へ移行した後、省電力画面に戻るまでの携帯電話端末１０の処理動作を説明するための図である。
【００６２】
図７に示すように、制御部２０は、表示部１２Ｂがロック画面７０を表示している状態で（図７の左図）、ワイヤレスヘッドホン８との接続を検出した場合、ロック状態を解除して、当該ワイヤレスヘッドホン８に応じた音楽プレーヤを起動させる（図７の中央図）。ここで、図７の操作画面９０は、音楽プレーヤを起動した場合に表示される操作画面である。操作画面９０には、携帯電話端末１０が有する音声ファイルのサムネール画像９２、９４、９６と、夫々に対応するアーティスト名（図７において、アーティストＡ、アーティストＢ、アーティストＣ）が表示されている。制御部２０は、利用者が操作画面９０から所望の曲を選択した後、選択した曲の音声ファイルをバックグラウンドで再生し、省電力画面６０に戻る（図７の右図）。
【００６３】
更に、図８を参照して、制御部２０が、上記ステップＳＡ−３で通信機器としてプリンタ６との接続を検出し、上記ステップＳＡ−５で、プリンタ６に応じたアプリケーションとしてファイルマネージャを起動する例について説明する。図８は、ロック画面からファイルマネージャの操作画面へ移行した後、省電力画面に戻るまでの携帯電話端末１０の処理動作を説明するための図である。
【００６４】
図８に示すように、制御部２０は、表示部１２Ｂがロック画面７０を表示している状態で（図８の左図）、プリンタ６との接続を検出した場合、ロック状態を解除して、当該プリンタ６に応じたファイルマネージャを起動させる（図８の中央図）。ここで、図８の操作画面１００は、ファイルマネージャを起動した場合に表示される操作画面である。操作画面１００には、携帯電話端末１０が有する印刷可能なファイルのサムネール画像１０２、１０４、１０６と、夫々に対応するファイル名（図８において、資料Ａ、資料Ｂ、資料Ｃ）が表示されている。制御部２０は、利用者が操作画面１００から所望のファイルを選択した後、選択したファイルをバックグラウンドでプリンタ６から印刷出力し、省電力画面６０に戻る（図８の右図）。
【００６５】
携帯電話端末１０は、以上のように、省電力モードから復帰する際に、近距離無線通信機能で通信機器との接続があるかを判定し、接続している通信機器がある場合、当該通信機器に対応するアプリケーションを起動する。これにより、利用者は、通信機器を準備し、省電力モードから復帰させる操作を入力することで、携帯電話端末１０で対応する機能を実行することができる。このため、利用者は、簡単かつ少ない操作で所望の機能（アプリケーション）を起動させることができる。
【００６６】
また、本実施形態の携帯電話端末１０は、ロック画面の表示中、ロック解除操作を検出するまで、通信機器との接続があるかを繰り返し検出したがこれに限定されない。携帯電話端末１０は、ロック画面を表示する前に、通信機器との接続があるかを判定し、通信機器との接続がないと判定した場合、ロック画面を表示中、ロック解除操作が入力されたかのみを検出するようにしてもよい。
【００６７】
また、本実施形態の制御部２０は、上記ステップＳＡ−３において、複数の通信機器との接続を検知する場合がある。この場合、制御部２０は、記憶部１９に記憶された優先順位情報に基づいて、優先順位が高い通信機器に対応するアプリケーションから優先して起動させる。例えば、ワイヤレスキーボード９の優先順位が１位に設定されている場合、制御部２０は、ワイヤレスキーボード９と、ワイヤレスヘッドホン８と、プリンタ６との３つの通信機器とペアリング可能な状態であると判定したら、ワイヤレスキーボード９を最初に優先して起動させる。ここで、優先順位は、これに限られず、利用者により自由に設定できる。また、優先順位は、各種条件、通信波の強さ、使用位置、使用状態などに応じて、変化する順位としてもよい。
【００６８】
続いて、図９を参照して、本実施形態にかかる携帯電話端末１０の処理の別の一例について説明する。図９は、図２に示す携帯電話端末の処理の別の一例を示すフローチャートである。ここで、図９に示す処理手順は、記憶部１９に記憶された近距離無線通信プログラム１９Ａ等のプログラムが提供する機能に基づいて繰り返し実行される。
【００６９】
図９に示すように、携帯電話端末１０の制御部２０は、予め利用者によりロック状態に設定され、かつ、省電力モードに移行されている状態から、省電力モード解除操作の入力が検出されたか否かを判定する（ステップＳＢ−１）。
【００７０】
制御部２０は、ステップＳＢ−１で操作部により省電力モード解除操作の入力が検出されたと判定した場合（ステップＳＢ−１：Ｙｅｓ）、省電力モードを解除して、ロック画面を表示させるよう表示部１２Ｂを制御する（ステップＳＢ−２）。
【００７１】
一方、制御部２０は、ステップＳＢ−１で操作部により省電力モード解除操作の入力が検出されなかったと判定した場合（ステップＳＢ−１：Ｎｏ）、ステップＳＢ−１に戻り、省電力モード解除操作の入力が検出されたと判定されるまで処理を繰り返す。
【００７２】
制御部２０は、ステップＳＢ−２でロック画面を表示した後、第１の無線通信部２４Ａが通信機器と接続した状態であるかを判定する（ステップＳＢ−３）。
【００７３】
制御部２０は、ステップＳＢ−３で通信機器と接続した状態であると判定した場合（ステップＳＢ−３：Ｙｅｓ）、表示部１２Ｂがロック画面を表示している状態で通信機器からの入力信号を受信したか否かを判定する（ステップＳＢ−４）。また、制御部２０は、ステップＳＢ−３で通信機器との接続を検出しなかった場合（ステップＳＢ−３：Ｎｏ）、後述するステップＳＢ−９の処理へ進む。
【００７４】
制御部２０は、ステップＳＢ−４で通信機器からの入力信号を受信したと判定した場合（ステップＳＢ−４：Ｙｅｓ）、ロック状態を解除して（ステップＳＢ−５）、当該通信機器に応じたアプリケーションを起動させる（ステップＳＢ−６）。また、制御部２０は、ステップＳＢ−４で通信機器からの入力信号を受信していないと判定した場合（ステップＳＢ−４：Ｎｏ）、後述するステップＳＢ−９の処理へ進む。
【００７５】
ここで、ステップＳＢ−６において、制御部２０は、ワイヤレスキーボード９との接続を検出した後、表示部１２Ｂがロック画面を表示している状態でワイヤレスキーボード９からの入力信号を受信した場合、ロック状態を解除して、当該ワイヤレスキーボード９に応じたテキストエディタを起動させる。また、制御部２０は、ワイヤレスヘッドホン８との接続を検出した後、表示部１２Ｂがロック画面を表示している状態でワイヤレスヘッドホン８からの入力信号を受信した場合、ロック状態を解除して、当該ワイヤレスヘッドホン８に応じた音楽プレーヤを起動させる。また、制御部２０は、プリンタ６との接続を検出した後、表示部１２Ｂがロック画面を表示している状態でプリンタ６からの入力信号を受信した場合、ロック状態を解除して、当該プリンタ６に応じたファイルマネージャを起動させる。
【００７６】
制御部２０は、ステップＳＢ−６でアプリケーションを起動して実行した後、所定の操作の入力に基づいてアプリケーションの処理が完了したか否かを判定する（ステップＳＢ−７）。
【００７７】
制御部２０は、ステップＳＢ−７でアプリケーションの処理が完了したと判定した場合（ステップＳＢ−７：Ｙｅｓ）、省電力モードへ移行して（ステップＳＢ−８）、処理を終了する。一方、制御部２０は、ステップＳＢ−７でアプリケーションの処理が完了していないと判定した場合は（ステップＳＢ−７：Ｎｏ）、上記ステップＳＢ−７の処理を繰り返す。
【００７８】
次に、制御部２０は、ステップＳＢ−３で通信機器との接続を検出しなかった場合（ステップＳＢ−３：Ｎｏ）、および、ステップＳＢ−４で通信機器からの入力信号を受信していないと判定した場合（ステップＳＢ−４：Ｎｏ）、表示部１２Ｂがロック画面を表示している状態で操作部によりロック状態を解除するロック解除操作の入力が検出されたか否かを判定する（ステップＳＢ−９）。
【００７９】
制御部２０は、ステップＳＢ−９で操作部によりロック解除操作の入力が検出されたと判定した場合（ステップＳＢ−９：Ｙｅｓ）、ロック状態を解除する（ステップＳＢ−１０）。ここで、制御部２０は、表示部１２Ｂに表示されたロック画面から、例えばホーム画面または省電力モード前に起動されていた画面へと表示を切り替える。一方、制御部２０は、ステップＳＢ−９で操作部によりロック解除操作の入力が検出されなかったと判定した場合（ステップＳＢ−９：Ｎｏ）、ステップＳＢ−３の処理へ戻る。
【００８０】
制御部２０は、ステップＳＢ−１０でロック状態を解除した後、各種処理を実行する。具体的には、制御部２０は、タッチセンサ１２Ａまたは入力部１３で検出した操作に対応する処理（例えばホーム画面に表示したオブジェクトに対応するアプリケーションの起動、通話、メール送受信、撮像等）を実行する（ステップＳＢ−１１）。
【００８１】
制御部２０は、ステップＳＢ−１１で各種処理を実行した後、操作部によりロック設定操作の入力が検出されたか否かを判定する（ステップＳＢ−１２）。この他、制御部２０は、操作部（タッチセンサ１２Ａおよび入力部１３）が操作入力を検出していない状態が所定時間、つまり最後の操作を検出してからの経過時間が閾値以上であると判定した場合、ロック状態になるように設定してもよい。ここで、制御部２０は、ステップＳＢ−１２の処理を一定時間毎に実行してもよい。
【００８２】
制御部２０は、ステップＳＢ−１２で操作部によりロック設定操作の入力が検出されたと判定した場合（ステップＳＢ−１２：Ｙｅｓ）、携帯電話端末１０をロック状態に設定する（ステップＳＢ−１３）。その後、ステップＳＢ−８の処理へ進む。
【００８３】
一方、制御部２０は、ステップＳＢ−１２で操作部によりロック設定操作の入力が検出されなかったと判定した場合（ステップＳＢ−１２：Ｎｏ）、ステップＳＢ−１１に進み、ステップＳＢ−１２においてロック設定操作の入力が検出されたと判定されるまで処理を繰り返す。つまり、利用者は、ロック設定操作を行うまで、例えば携帯電話端末１０が有する各種機能（通話機能、メール送受信機能、撮像機能等）を利用する。
【００８４】
携帯電話端末１０は、以上のように、接続している通信機器がある場合、当該通信機器からの入力信号の受信をトリガーとして、当該通信機器に対応するアプリケーションを起動する。これにより、利用者は、所望の通信機器から操作入力を行うことで、当該通信機器に応じたアプリケーションを利用することができる。例えば、利用者は、ワイヤレスキーボード９から文字入力操作を行うことで、携帯電話端末１０のテキストエディタを起動させて、そのままテキストエディタを利用して文字編集作業を行うことができる。
【００８５】
最後に、図１０を参照して、本実施形態にかかる携帯電話端末１０の処理の更に別の一例について説明する。図１０は、図２に示す携帯電話端末の処理の更に別の一例を示すフローチャートである。ここで、図１０に示す処理手順は、記憶部１９に記憶された近距離無線通信プログラム１９Ａ等のプログラムが提供する機能に基づいて繰り返し実行される。
【００８６】
図１０に示すように、携帯電話端末１０の制御部２０は、予め利用者によりロック状態に設定され、かつ、省電力モードに移行されている状態から、省電力モード解除操作の入力が検出されたか否かを判定する（ステップＳＣ−１）。
【００８７】
制御部２０は、ステップＳＣ−１で操作部により省電力モード解除操作の入力が検出されたと判定した場合（ステップＳＣ−１：Ｙｅｓ）、省電力モードを解除して、ロック画面を表示させるよう表示部１２Ｂを制御する（ステップＳＣ−２）。
【００８８】
一方、制御部２０は、ステップＳＣ−１で操作部により省電力モード解除操作の入力が検出されなかったと判定した場合（ステップＳＣ−１：Ｎｏ）、ステップＳＣ−１に戻り、省電力モード解除操作の入力が検出されたと判定されるまで処理を繰り返す。
【００８９】
制御部２０は、ステップＳＣ−２でロック画面を表示した後、第１の無線通信部２４Ａが通信機器と接続した状態であるかを判定する（ステップＳＣ−３）。
【００９０】
制御部２０は、ステップＳＣ−３で通信機器と接続した状態であると判定した場合（ステップＳＣ−３：Ｙｅｓ）、表示部１２Ｂがロック画面を表示している状態で操作部によりロック状態を解除するロック解除操作の入力が検出されたか否かを判定する（ステップＳＣ−４）。また、制御部２０は、ステップＳＣ−３で通信機器との接続を検出しなかった場合（ステップＳＣ−３：Ｎｏ）、後述するステップＳＣ−８の処理へ進む。
【００９１】
制御部２０は、ステップＳＣ−４でロック解除操作の入力が検出されたと判定した場合（ステップＳＣ−４：Ｙｅｓ）、ロック状態を解除して（ステップＳＣ−５）、当該通信機器に応じたアプリケーションを起動させる（ステップＳＣ−６）。
【００９２】
ここで、ステップＳＣ−６において、制御部２０は、ワイヤレスキーボード９との接続を検出した後、表示部１２Ｂがロック画面を表示している状態で操作部によりロック解除操作の入力が検出された場合、ロック状態を解除して、ワイヤレスキーボード９に応じたテキストエディタを起動させる。また、制御部２０は、ワイヤレスヘッドホン８との接続を検出した後、表示部１２Ｂがロック画面を表示している状態で操作部によりロック解除操作の入力が検出された場合、ロック状態を解除して、ワイヤレスヘッドホン８に応じた音楽プレーヤを起動させる。また、制御部２０は、プリンタ６との接続を検出した後、表示部１２Ｂがロック画面を表示している状態で操作部によりロック解除操作の入力が検出された場合、ロック状態を解除して、プリンタ６に応じたファイルマネージャを起動させる。
【００９３】
制御部２０は、ステップＳＣ−６でアプリケーションを起動して実行した後、所定の操作の入力に基づいてアプリケーションの処理が完了したか否かを判定する（ステップＳＣ−７）。
【００９４】
制御部２０は、ステップＳＣ−７でアプリケーションの処理が完了したと判定した場合（ステップＳＣ−７：Ｙｅｓ）、後述するステップＳＣ−１０の処理へ進む。一方、制御部２０は、ステップＳＣ−７でアプリケーションの処理が完了していないと判定した場合は（ステップＳＣ−７：Ｎｏ）、上記ステップＳＣ−７の処理を繰り返す。
【００９５】
次に、ステップＳＣ−３に戻り制御部２０の処理の説明を続ける。制御部２０は、ステップＳＣ−３で通信機器との接続を検出しなかった場合（ステップＳＣ−３：Ｎｏ）、表示部１２Ｂがロック画面を表示している状態で操作部によりロック状態を解除するロック解除操作の入力が検出されたか否かを判定する（ステップＳＣ−８）。
【００９６】
制御部２０は、ステップＳＣ−８でロック解除操作の入力が検出されたと判定した場合（ステップＳＣ−８：Ｙｅｓ）、ロック状態を解除する（ステップＳＣ−９）。ここで、制御部２０は、表示部１２Ｂに表示されたロック画面から、例えばホーム画面または省電力モード前に起動されていた画面へと表示を切り替える。一方、制御部２０は、ステップＳＣ−８で操作部によりロック解除操作の入力が検出されなかったと判定した場合（ステップＳＣ−８：Ｎｏ）、ステップＳＣ−３の処理へ戻る。
【００９７】
制御部２０は、ステップＳＣ−９でロック状態を解除した後、各種処理を実行する。具体的には、制御部２０は、タッチセンサ１２Ａまたは入力部１３で検出した操作に対応する処理（例えばホーム画面に表示したオブジェクトに対応するアプリケーションの起動、通話、メール送受信、撮像等）を実行する（ステップＳＣ−１０）。
【００９８】
制御部２０は、ステップＳＣ−１０で各種処理を実行した後、操作部によりロック設定操作の入力が検出されたか否かを判定する（ステップＳＣ−１１）。この他、制御部２０は、操作部（タッチセンサ１２Ａおよび入力部１３）が操作入力を検出していない状態が所定時間、つまり最後の操作を検出してからの経過時間が閾値以上であると判定した場合、ロック状態になるように設定してもよい。ここで、制御部２０は、ステップＳＣ−１１の処理を一定時間毎に実行してもよい。
【００９９】
制御部２０は、ステップＳＣ−１１で操作部によりロック設定操作の入力が検出されたと判定した場合（ステップＳＣ−１１：Ｙｅｓ）、携帯電話端末１０をロック状態に設定し（ステップＳＣ−１２）、省電力モードへ移行する（ステップＳＣ−１３）、その後、処理を終了する。
【０１００】
一方、制御部２０は、ステップＳＣ−１１で操作部によりロック設定操作の入力が検出されなかったと判定した場合（ステップＳＣ−１１：Ｎｏ）、ステップＳＣ−１０に進み、ステップＳＣ−１１においてロック設定操作の入力が検出されたと判定されるまで処理を繰り返す。つまり、利用者は、ロック設定操作を行うまで、例えば携帯電話端末１０が有する各種機能（通話機能、メール送受信機能、撮像機能等）を利用する。
【０１０１】
携帯電話端末１０は、以上のように、接続している通信機器がある場合、ロック画面操作の入力をトリガーとして、当該通信機器に対応するアプリケーションを起動する。これにより、利用者は、接続している通信機器がある場合は、ロック画面を解除するのみで、当該通信機器に応じたアプリケーションを利用することができる。このように、本実施形態によれば、省電力モード解除操作時に接続している通信機器との接続を確立させているので、利用者は、携帯電話端末１０のロック画面を解除して、所望の通信機器との接続状態を確認して、当該通信機器に応じたアプリケーションを選択するといった、煩わしい操作を省略することができる。
【符号の説明】
【０１０２】
６  プリンタ
８  ワイヤレスヘッドホン
９  ワイヤレスキーボード
１０  携帯電話端末
１１  筐体
１２  タッチパネル
１２Ａ  タッチセンサ
１２Ｂ  表示部
１３  入力部
１５  電源部
１６  通信部
１７  レシーバ
１８  マイク
１９  記憶部
１９Ａ  近距離無線通信プログラム
１９Ｂ  テキストエディタプログラム
１９Ｃ  音楽プレーヤプログラム
１９Ｄ  ファイルマネージャプログラム
１９Ｅ  優先順位情報ファイル
２０  制御部
２４  無線通信部
２４Ａ  第１の無線通信部
２４Ｂ  第２の無線通信部
３０、３２  ボタン
３４  入力デバイス
【図１】
0005736276.tif 000002
【図２】
0005736276.tif 000003
【図３】
0005736276.tif 000004
【図４】
0005736276.tif 000005
【図５】
0005736276.tif 000006
【図６】
0005736276.tif 000007
【図７】
0005736276.tif 000008
【図８】
0005736276.tif 000009
【図９】
0005736276.tif 000010
【図１０】
0005736276.tif 000011